(57)【要約】【課題】  アブレーション中にスチームポップ現象を予測するための方法及びシステムを提供する。【解決手段】  医療手技を行うための方法は、プローブを患者の臓器内の組織に結合することを含む。アブレーションエネルギーがプローブを用いて組織に適用される。時間の関数として、アブレーションエネルギーによりもたらされた組織内の蒸気圧の進展のモデルが推定される。モデルに基づいて、蒸気圧によりもたられたスチームポップ現象の発生時間が予測され、かつスチームポップ現象の予測された発生時間が、オペレータに対して指示される。【選択図】  図１Ａ
2015009157.tif 000002
【特許請求の範囲】
【請求項１】
医療手技を行うための装置であって、
患者の臓器内の組織に結合されるように、かつ前記組織にアブレーションエネルギーを適用するように構成される、侵襲性のプローブと、
前記プローブに結合され、時間の関数として、前記アブレーションエネルギーによりもたらされた前記組織内の蒸気圧の進展のモデルを推定するように、前記蒸気圧によりもたらされたスチームポップ現象の発生時間を、前記モデルに基づいて、予測するように、かつオペレータに対して前記スチームポップ現象の前記予測された発生時間を指示するように構成されるプロセッサと、を含む、装置。
【請求項２】
前記プロセッサが、時間の関数として、前記アブレーションエネルギーによりもたらされた前記組織内の温度の進展を推定することによって、前記モデルを推定するように構成される、請求項１に記載の装置。
【請求項３】
前記プロセッサが、前記プローブの前記組織内への貫入深度を推定することによって前記モデルを推定し、前記貫入深度及び前記アブレーションエネルギーに基づいて前記モデルを計算するように構成される、請求項１に記載の装置。
【請求項４】
前記プロセッサが、前記組織の温度及びインピーダンスの多数の値を測定すること、及び前記測定された値に基づいて前記貫入深度を推定することによって、前記貫入深度を推定するように構成される、請求項３に記載の装置。
【請求項５】
前記プロセッサが、時間の関数として、前記組織圧力の関数曲線を推定することによって前記モデルを推定するように、かつ前記関数曲線と定義済の閾値との間の交差時間を特定し、前記交差時間から前記発生時間を導出することによって前記スチームポップ現象の前記発生時間を予測するように、構成される、請求項１に記載の装置。
【請求項６】
前記プロセッサが、前記スチームポップ現象までの残り時間の長さを前記オペレータに指示することによって前記予測された発生時間を指示するように構成される、請求項１に記載の装置。
【請求項７】
前記プロセッサが、前記スチームポップ現象の前記予測された発生時間に反応して前記アブレーションエネルギーの適用を修正するように構成される、請求項１に記載の装置。
【請求項８】
前記プロセッサが、前記スチームポップ現象の前記予測された発生時間に反応して前記アブレーションエネルギーの適用を修正するように前記オペレータによって構成される、請求項１に記載の装置。
【請求項９】
前記プロセッサが、前記プローブの近傍で前記組織の最も熱い領域を特定することによって前記モデルを推定するように、かつ前記最も熱い領域の前記蒸気圧の前記進展を評価するように、構成される、請求項１に記載の装置。
【請求項１０】
前記プロセッサが、前記プローブの近傍の有限要素熱移動モデルをリアルタイムに評価することによって前記モデルを推定するように構成される、請求項１に記載の装置。
【請求項１１】
コンピュータソフトウェアプロダクトであって、内部にプログラム命令が記憶されている非一時的なコンピュータ読み取り可能な媒体を含み、その命令が、侵襲性のプローブが結合されている臓器内の組織にアブレーションエネルギーを適用するための前記プローブに結合されているプロセッサにより読み取られるとき、前記プロセッサに、時間の関数として、前記アブレーションエネルギーよりもたらされる前記組織内の蒸気圧の進展のモデルを推定させ、前記蒸気圧によりもたらされたスチームポップ現象の発生時間を、前記モデルに基づいて、予測させ、かつオペレータに対して前記スチームポップ現象の前記予測された発生時間を指示させる、コンピュータソフトウェアプロダクト。
【発明の詳細な説明】
【技術分野】
【０００１】
本発明は、概して侵襲性の医療治療に関するものであり、具体的には、アブレーション中にスチームポップ現象を予測するための方法及びシステムに関する。
【背景技術】
【０００２】
最小侵襲性の心臓内アブレーションは、様々なタイプの不整脈に対して選択される治療である。このような治療を行うためには、医師は典型的には、カテーテルを脈管系を通して心臓の中へ挿入し、カテーテルの遠位端を異常な電気活動の区域内の心筋組織と接触させ、またその後、組織壊死を生成するために遠位端において又はその付近で１つ又は２つ以上の電極を通電させる。
【０００３】
心臓内アブレーション療法のための幾多のシステムは、Ｂｉｏｓｅｎｓｅ  Ｗｅｂｓｔｅｒ  Ｉｎｃ．（Ｄｉａｍｏｎｄ  Ｂａｒ，Ｃａｌｉｆｏｒｎｉａ）によって提供されるＣＡＲＴＯ（商標）システムなどが市販されている。ＣＡＲＴＯはカテーテルの遠位端の位置及び動作パラメータを追跡し、かつこの情報を心臓の三次元（３Ｄ）解剖学的マップ上に電子的に表示する。ＣＡＲＴＯによって、システムオペレータは焼灼された位置に電子的にタグを付けてマップ上に表示し、よって手技の進捗を追跡することが可能となる。
【０００４】
その開示が参照によって本明細書に組み込まれる米国特許出願公開第２００９／０２８７２０５号では、アブレーションエネルギーを組織まで制御可能に伝達するためのシステムについて説明されている。このシステムはアブレーションエネルギーを身体組織へ供給して組織内に気泡を形成させるように操作可能なアブレーションデバイスと、組織内で共振している気泡を崩壊又は収縮することによって自然発生的に放射されたエネルギーを検出するように構成される超音波トランスデューサと、アブレーションデバイス及び超音波トランスデューサ要素に操作可能に結合された制御要素と、を含み、この制御要素は、気泡膨張によりもたらされた組織ポップを防止するために、超音波トランスデューサによって検出されたエネルギーに反応して組織へ供給されたアブレーションエネルギーを調節するように構成される。
【０００５】
その開示が参照によって本明細書に組み込まれる米国特許出願公開第２０１１／０２２４６６４号及び欧州特許出願公開第２３６４６６４号では、被検者の身体内部の臓器において組織を焼灼する方法について説明されている。この方法は身体内部のプローブを焼灼対象組織と接触している位置に持っていくことと、組織を焼灼する前にプローブを用いてその位置において１つ又は２つ以上の局部パラメータを測定することと、を含む。プローブを用いてその位置において適用される一定用量のエネルギーについて達成されるべき組織のアブレーションの予測範囲を、１つ又は２つ以上の局部パラメータに基づいて、示す臓器のマップが表示される。プローブを用いて組織を焼灼するためにこの一定用量のエネルギーが適用され、かつ組織を焼灼することに引き続いてその位置におけるアブレーションの実際の範囲がプローブを用いて測定される。アブレーションのこの測定された実際の範囲は、予測範囲と比較するために、マップ上に表示される。
【０００６】
その開示が参照によって本明細書に組み込まれる欧州特許第２０９４１５０号では、アブレーション中のスチームポケットの形成を監視するための方法について説明されていて、測定反射率スペクトル強度（ＭＲＳＩ）対時間が解析されている。この方法は、光を組織に伝達することと、組織の反射率スペクトル強度を測定することと、を含み、ＭＲＳＩが所定の期間において初期には増大して、その後に所定の速度でＭＲＳＩの減少が続くかどうかについて観察が行われる。ＭＲＳＩに減少がない場合には、アブレーションエネルギーの組織への伝達が継続する。しかしながら、所定の時間内でかつ所定の速度でＭＲＳＩに減少がある場合には、この方法はスチームポケットの形成を推論し、かつ組織へのアブレーションエネルギーの伝達を減少さすか又は中断する。
【発明の概要】
【課題を解決するための手段】
【０００７】
本発明の一実施形態は、プローブを患者の臓器の中の組織に結合することを含む、医療手技を行うための方法を提供する。プローブを用いてアブレーションエネルギーが組織に適用される。時間の関数として、アブレーションエネルギーによりもたらされた組織内の蒸気圧の進展のモデルが推定される。このモデルに基づいて、蒸気圧によりもたらされたスチームポップ現象の発生時間が予測され、かつそのスチームポップ現象の予測された発生時間がオペレータに指示される。
【０００８】
いくつかの実施形態では、モデルを推定することは、時間の関数として、アブレーションエネルギーによりもたらされた、組織内の温度の進展を推定することを含む。他の実施形態では、モデルを推定することは組織内へのプローブの貫入深度を推定することと、貫入深度及びアブレーションエネルギーに基づいてモデルを計算することと、を含む。更に他の実施形態では、貫入深度を推定することは、組織の温度及びインピーダンスの多数の値を測定することと、測定された値に基づいて貫入深度を推定することと、を含む。
【０００９】
一実施形態では、モデルを推定することは、時間の関数として、組織圧力の関数曲線を推定することを含み、またスチームポップ現象の発生時間を予測することは、関数曲線と定義済の閾値との交差時間を特定すること、及びこの交差時間から発生時間を導出することを含む。別の実施形態では、予測された発生時間を指示することは、スチームポップ現象までの残り時間の長さをオペレータに指示することを含む。なお別の実施形態では、この方法はスチームポップ現象の予測された発生時間に反応して、アブレーションエネルギーの適用を修正することを更に含む。
【００１０】
いくつかの実施形態では、モデルを推定することは、プローブの近傍で組織の最も熱い領域を特定すること、及び最も熱い領域における蒸気圧の進展を評価することを含む。他の実施形態において、モデルを推定することは、プローブの近傍の有限要素熱移動モデルをリアルタイムに評価することを含む。
【００１１】
本発明の一実施形態に従って、侵襲性のプローブ及びこのプローブに結合されたプロセッサを含む、医療手技を行うための装置が追加的に提供される。このプローブは、患者の臓器内の組織に結合されるように、かつ組織にアブレーションエネルギーを適用するように構成される。プロセッサは、時間の関数として、アブレーションエネルギーによりもたらされた組織内の蒸気圧の進展のモデルを推定し、蒸気圧によりもたらされたスチームポップ現象の発生時間を、このモデルに基づいて、予測するように、かつオペレータにスチームポップ現象の予測された発生時間を指示するように構成される。
【００１２】
本発明の一実施形態に従って、非一時的なコンピュータ読み取り可能な媒体を含む、コンピュータソフトウェアプロダクトがまた提供される。この媒体にはプログラム命令が記憶され、これらの命令は、アブレーションエネルギーを、侵襲性のプローブが結合されている臓器内の組織に適用するためのプローブに結合されているプロセッサによって読み取られるとき、プロセッサに、時間の関数として、アブレーションエネルギーによりもたらされる組織内の蒸気圧の進展のモデルを推定させ、蒸気圧によりもたらされたスチームポップ現象の発生時間を、このモデルに基づいて、予測させ、かつオペレータにスチームポップ現象の予測された発生時間を指示させる。
【００１３】
本発明は、本発明の実施形態の以下の詳細な説明を、図面と総合すれば、より十分に理解されるであろう。
【図面の簡単な説明】
【００１４】
【図１Ａ】本発明の一実施形態による心臓内アブレーションのためのシステムの模式的実体図である。
【図１Ｂ】本発明の一実施形態に従って、心臓内アブレーションを適用するカテーテルの模式的実体図である。
【図２】本発明の一実施形態に従って、アブレーション中の組織界面温度の実験測定に基づいた計算によるホットスポット温度及び圧力値を示すグラフである。
【図３】本発明の一実施形態に従って、アブレーション中の組織温度及び圧力進展を示すグラフである。
【図４】本発明の一実施形態に従って、スチームポップ現象の発生時間を予測するための方法を概略的に例示するフローチャートである。
【発明を実施するための形態】
【００１５】
概論
上記のＣＡＲＴＯシステムなどのいくつかのカテーテルベースの治療システムにおいて、アブレーション手技を行う医師は、患者の脈管系を介してカテーテルを挿入して、焼灼対象組織にカテーテルの遠位先端部を接触させる。医師は、その後、カテーテルを介してＲＦエネルギーを組織に適用して組織内の損傷又は壊死を生成する。
【００１６】
組織過熱は、ＲＦエネルギーを組織に適用することの望ましくない副作用であり、これは結果的に組織内に蒸気気泡の形成をもたらし得る。カテーテルの近傍における組織の最も熱い領域は、ホットスポット領域と称される。典型的には、ホットスポットはカテーテル先端部の下に数ｍｍ（例えば、約１〜２ｍｍ）存在する。ホットスポットにおける組織には、過熱を蒙るという最も高いリスクがある。気泡内部の蒸気圧が発生して、かつ時間とともに増大するにつれて、過剰圧力レベルに到達することが気泡を破裂又は崩壊させて、結果的に組織裂傷をもたらす。更に、心筋において形成されたクレータ状の損傷が血流を妨害し、かつ流れの摂動に起因して血栓生成のリスクを増大させる。この蒸気気泡を破裂させる又は崩壊させる現象は、スチームポップ現象と称される。
【００１７】
本明細書に記載される本発明の実施形態は、アブレーション手技中のスチームポップ現象の発生時間を予測するための改善された方法及びシステムを提供する。この発生時間（例えば、予想されるスチームポップ現象までの残り時間）は医師に警告を発することができ、かつ／又はスチームポップを回避するために反応が早い対策を講じることができるように、典型的にはリアルタイムに予測される。
【００１８】
いくつかの実施形態では、プローブ内で取得された組織温度及びインピーダンス測定値は、アブレーション電流と一緒に、時間の関数として、ホットスポット温度を予測するリアルタイムモデルを評価するために使用される。例示的実施形態では、組織内部のプローブ先端部の深度は、最初にはインピーダンス及び力測定値を用いて推定される。この先端部貫入深度は、有限要素モデルによって計算された温度及びインピーダンス値と実際の測定値との間で一致が見出されるまで再推定される。この推定された先端部深度及びアブレーション電流は、時間の関数として、焼灼された組織における蒸気圧の進展を予測するように、リアルタイムモデルを推定するのに使用される。この推定されたモデルは、差し迫ったスチームポップ現象の発生時間を予測する。いくつかの実施形態では、この推定されたモデルは温度及び／又は圧力曲線関数を備え、並びに予測された発生時間は、モデル曲線と定義済の温度又は圧力閾値との交差点から導出される。
【００１９】
このスチームポップ現象の予測された発生時間は、アブレーション手技を実行する医師又はオペレータに指示される。いくつかの実施形態では、この指示は、予測時間の数値提示に加えて、ディスプレイ画面上のモデル曲線の提示を備える。代替的に又は追加的に、この指示は、時間が予測された発生時間に近づくにつれて、その振幅及び／又は周波数が増大する、音などの可聴表示を備えていてよい。
【００２０】
スチームポップ現象の予想される差し迫った発生時間の指示を用いて、医師はこのような現象の実際の発生のリスクを低減するために、事前に、様々な措置を講じ得る。例えば、医師は組織に適用されるエネルギーの量を低減するためにアブレーション電流を低減するか又は停止することができる。代替的に又は追加的に、医師は組織内部の先端部深度を制御するために、プローブ先端部を再位置決めすることができる。更に代替的に又は追加的に、潅注カテーテルを用いてアブレーションが行われ、医師は潅注速度を制御することによってスチームポップ現象のリスクを低減し得る。代替の実施形態では、反応可能な措置が自動的に講じられる。
【００２１】
有限要素モデル及びリアルタイムモデルは、例えば、患者の心臓の鼓動及び呼吸動作によって生成される変化する条件下で、更新済みである及び正確なモデルを維持するために、アブレーション手技中に連続的に更新される。
【００２２】
後述する実施形態は、具体的には、好適な設計のカテーテルを用いた心臓内アブレーションの実行に関するが、本発明の原理は他の種類の治療においても同様に適用され得る。これはまた、カテーテル又は他の好適なタイプの侵襲性のプローブのいずれかを用いて、心臓に又は他の臓器に適用され得る。
【００２３】
システムの説明
図１Ａは、本発明の一実施形態に従って、心臓内アブレーションのためのシステム２０の模式的実体図である。このシステム２０は、システムソフトウェアへの好適な追加物を有する、例えば、上記のＣＡＲＴＯシステムに基づいてよい。システム２０は、カテーテル２４などのプローブ、及び制御コンソール３４を備える。以下に説明される実施形態において、カテーテル２４は、患者３０の心臓２６の１つ又は２つ以上の室（心房）における不整脈の焼灼部位に使用される。いくつかの実施形態では、カテーテル２４は潅注カテーテルを備える。あるいは、カテーテル２４又は他の好適なプローブが、必要な変更を加えれば、心臓における又は他の身体臓器における他の治療的目的のために使用され得る。
【００２４】
循環器専門医などの、オペレータ２２は、カテーテルの遠位端が心臓２６の室（心房）に進入するように、患者３０の脈管系を通してカテーテル２４を挿入する。オペレータ２２は、カテーテルの遠位先端部における電極２８が所望されたアブレーション部位の心内膜組織と係合するようにカテーテルを前進させる。カテーテル２４は典型的には、その近位端における好適なコネクタによってコンソール３４に、及び具体的には、カテーテル２４を介して電極２８まで伝達のためのＲＦエネルギーを発生する、無線周波数（ＲＦ）発生器３６に接続される。オペレータ２２は、ＲＦ発生器３６を起動して心臓内の不整脈の疑わしい部位において組織を焼灼する。ＲＦ発生器３６に適用された電流が、発生した出力電力レベルを制御する。
【００２５】
この描写された実施形態では、システム２０は磁気位置検知を使用して心臓２６内部のカテーテル２４の遠位端の位置座標を決定する。この目的のために、コンソール３４内のドライバ回路３８は、磁場発生器３２を駆動して患者３０の身体内に磁場を生成する。典型的には、磁場発生器３２はコイルを備え、これらは固定された、既知の位置において患者の胴体の下に定置される。これらのコイルは、心臓２６を収める定義済の作業体積内に磁場を生成する。カテーテル２４の遠位端内の磁場センサー（図示せず）は、これらの磁場に反応して電気信号を発生する。信号プロセッサ４０は、カテーテル２４の遠位端の位置座標を決定するために、これらの信号を処理する、典型的には位置座標及び向きの座標両方を含む。位置検知のこの方法は上記のＣＡＲＴＯシステムにおいて実施され、かつ技術において周知である。代替的に又は追加的に、システム２０は、超音波又は電気的インピーダンスベースの方法など、技術において既知である位置検知の他の方法を使用し得る。
【００２６】
加えて、カテーテル２４は、カテーテル先端部と心臓２６の壁部２９との間の接触力を測定するための、その遠位端内に力センサー（図示せず）を備え得る。ＣＡＲＴＯシステム向けにＢｉｏｓｅｎｓｅ  Ｗｅｂｓｔｅｒ  Ｉｎｃ．によって開発されたＳｍａｒｔＴｏｕｃｈ（商標）カテーテルは、この種の能力を提供する。この種のカテーテルは、例えば、その開示が参照によって本明細書に組み込まれる米国特許出願公開第２０１１／０１３０６４８号に説明されている。力測定は、例えば、電極２８が、ＲＦエネルギーを効果的に移送して、かつ心臓組織を焼灼するために心臓壁と十分に強固な接触を確実にするに際して有用である。別の例として、好適な指示に反応して、オペレータ２２はスチームポップ現象を生成させる可能性のある過熱のリスクを低減するために、カテーテル接触力を低減し得る。
【００２７】
コンソール３４内のプロセッサ４０は、典型的には、カテーテル２４から信号を受信し、かつコンソール３４の他の構成要素からの入力を制御し、かつ受信するための好適なフロントエンド及びインターフェ一ス回路を有する汎用コンピュータプロセッサを備える。プロセッサ４０は、本明細書に記載される機能を実行するためにソフトウェアにおいてプログラム化され得る。このソフトウェアは、例えば、ネットワーク上に、電子的形態でプロセッサ４０にダウンロードされ得るか、あるいはそれは、代替的に又は追加的に、光学的、磁気的若しくは電子的メモリ媒体などの、有体物の、非一時的媒体上に提供され得る。更に代替的に又は追加的に、プロセッサ４０の機能の一部又は全部が専用の若しくはプログラム可能なデジタルハードウェア構成要素によって実行され得る。
【００２８】
カテーテル２４及びシステム２０の他の構成要素から受信された信号に基づいて、プロセッサ４０は、ディスプレイ４２を駆動してオペレータ２２に心臓２６の三次元（３Ｄ）マップ４４を提示する。このマップはカテーテル２４により測定された心臓電気生理的活動を指示し得るとともに、患者の身体内のカテーテルの位置に関して視覚的フィードバック並びに進行中の手技に関する状況情報及びガイダンスを提供し得る。カテーテル２４及びシステム２０の他の要素によって測定され得る、プロセッサ４０へ伝達され、かつディスプレイ４２上に示され得る他のパラメータは、例えば、カテーテルと心臓組織との間の接触力、アブレーション部位と患者の皮膚上の１つ又は２つ以上の箇所との間の電気的インピーダンス、局部温度、並びにカテーテルを通じて伝達されたＲＦ電力を含み得る。
【００２９】
図１Ｂは、本発明の一実施形態に従って、図１Ａの線Ａ−Ａに沿って得られた断面の模式的実体図である。図１Ｂは、その先端部が焼灼された部位において心臓２６の壁部２９に接触しているカテーテル２４を示す。カテーテル先端部は電極２８及び組織界面温度とインピーダンスを測定するためのセンサー２７を備える。システム２０はホットスポット３１の温度とともに、ホットスポットを含むより広い測定領域３３における温度及びインピーダンス値を測定するためにカテーテル２４を使用する。この組織の領域３３は、更に以下に記載される温度ドメイン（temperature domain）と称されるより大きな領域の追加的な一部である。組織温度及びインピーダンスを測定するためのセンサー及び電極を備えるカテーテルについては、例えば、上記に引用された米国特許出願公開第２０１１／０２２４６６４号及び欧州特許出願公開第２３６４６６４号に説明される。
【００３０】
図１Ａに戻って参照すると、測定された／構成されたパラメータを受信次第、プロセッサ４０は時間の関数として、ホットスポット３１におけるホットスポット温度及び圧力進展のリアルタイムモデルを推定する。この推定されたモデルに基づいて、プロセッサ４０はスチームポップ現象の発生時間を予測し、かつディスプレイ４２上に指示／警告４６を提示する。オペレータ２２は、ユーザーインターフェ一ス制御装置４８及び画面上のメニューを用いて、温度値又は圧力閾値などの構成値を設定し得る。
【００３１】
図１Ａ及び図１Ｂは、特定のシステム構成及び適用環境を示すが、心臓内において並びに他の身体臓器及び領域両方において、カテーテルのみならず他のタイプのプローブを用いた他の治療的用途において本発明の原理は同様に適用され得る。
【００３２】
スチームポップ現象の時間発生の予測
図２は、本発明の一実施形態に従って、アブレーション中の組織界面温度の実験測定値に基づいた計算ホットスポット温度及び圧力値を示すグラフである。この図面は、Ｒａｍｂａｍ  ｍｅｄｉｃａｌ  ｃｅｎｔｅｒ（Ｈａｉｆａ，Ｉｓｒａｅｌ）において２０１２年６月に実施された、動物被検体に対するアブレーション実験を要約している。図２は、秒単位による水平時間軸、摂氏単位による左縦温度軸、及び平方インチ当たりポンド（ＰＳＩ）単位による右縦圧力軸を表す。水平閾値線１００は、約１４５℃及び４１３．７ｋＰａ（６０ＰＳＩ）の温度値及び圧力閾値両方をそれぞれ表す。
【００３３】
図２において、各曲線は対応するアブレーション手技中の時間の経過に伴うホットスポット温度の進展を表している。典型的には、カテーテル位置及び組織内の深度、接触力、ＲＦ電力レベル、及び潅注速度などの安定したアブレーション条件において、ホットスポット温度はアブレーション過程中に上昇する。図２における各曲線は、異なった条件で行われるアブレーションを表す。閾値１００を決して通過しない曲線については、アブレーション条件は約１４５℃以下に温度レベルを制限する。温度を制限する可能性のある要因は、例えば、低いＲＦ電力、及びカテーテル先端部と組織との間の不十分な接触力である。しかしながら、他の曲線については、アブレーション条件は、閾値１００より高いレベルまでの急速な温度上昇を許容する。
【００３４】
閾値１００を通過する曲線に付けられた〇マークは、スチームポップ現象を表す。実験データによって、スチームポップ現象の発生に対する確率が、温度が約１４５℃（及び対応して４１３．７ｋＰａ（６０ＰＳＩ））まで上昇するときに極めて高いことを実証する。一方で、温度が約１４５℃以下のレベルまで徐々に展開するとき、スチームポップ現象はきわめて稀であり、かつ典型的には発生しない。
【００３５】
そこで、アブレーションホットスポット温度／圧力を閾値１００以下のレベルまで制御することによって、スチームポップ現象及び関連内科的合併症の発生のリスクを大幅に低減することが可能である。更に、ホットスポット温度が閾値１００と交差する時間が、スチームポップの発生時間を明確に指し示している。
【００３６】
特定の温度及び圧力値、例えば、閾値１００の値は例示的な値と見なされるべきである。代替の実施形態では、任意の他の好適な温度及び圧力値を使用することができる。特に、閾値１００の数値は異なり得る。上記のように、図２に示される実験データは動物被検体に対して測定された。この開示された技法をヒト患者に適用するとき、数値は変わり得る。スチームポップの極めて低い確率とスチームポップの極めて高い確率とを確実に区別する一般的な現象、すなわち圧力／温度閾値はそのままであると予想される。
【００３７】
図３は本発明の一実施形態に従って、アブレーション中の組織温度及び圧力進展を示すグラフである。この図面では、アブレーション＃１及びアブレーション＃２は、異なる条件下で行われる第１及び第２のアブレーション手技を表す。曲線２００及び２０４並びに同様に曲線２１２及び２１６は、第１及び第２アブレーション手技中の温度及び圧力進展をそれぞれ表す。
【００３８】
示されるように、第１アブレーション手技における条件は、第２アブレーション手技と比較して、組織ホットスポットにおいてより速い温度及び圧力上昇を可能にする。より速い曲線上昇は、例えば、アブレーション＃１中に組織に伝達されたＲＦ電力がより高い場合に、又はカテーテル２４がより強固な接触で組織に係合して、結果的に組織内への口の広い先端部貫入（及び組織に適用されたより高いエネルギーの流れ）がもたらされる場合に生じ得る。潅注速度は、温度及び圧力上昇速度に影響を及ぼし得る別の要因である。
【００３９】
熱力学理論から既知であるように、クラウジウス−クラペイロンの式（Clausius-Clapeyron equations）は、関係：Ｐ＝ｅｘｐ｛Ａ−Ｂ／Ｔ｝、（式中、Ｐは圧力を指し、Ｔはホットスポット温度を指し、並びにＡ及びＢは気化熱特性などの関与している物質の熱特性に主として依存する定数である）から導出される式によって与えられるように、沸騰蒸気圧と温度との間で指数関数的な関係を定義する。したがって、図３の曲線２１２及び２１６上の圧力点は、クラウジウス−クラペイロンの式を介して曲線２００及び２０４上の対応する温度点に関連付けられている。
【００４０】
水平線２１８及び２２０は、温度及び圧力閾値レベルを表している。これらの閾値は、ホットスポットにおける温度及び圧力レベルを２つのゾーンに分割する。これによって、閾値を上回る点についてはスチームポップ現象の確率が極めて高く、これに反して閾値を下回る点については、スチームポップ現象の確率が典型的には極めて低い。
【００４１】
図２を参照しながら説明された実験結果に基づいて、温度／圧力閾値は、１４５℃及び４１３．７ｋＰａ（６０ＰＳＩ）にそれぞれ設定されるべきである。しかしながら、代替の実施形態では、任意の他の好適な閾値レベルが選択されてよい。前述のように、図２の結果が動物被検体に基づいているので、他の閾値レベルはヒト患者についてはより適切であってよい。別の例として、異なる臓器へのアブレーションは、結果的に異なる温度／圧力進展プロセスをもたらし、よって異なる閾値レベルを必要としてよい。温度及び圧力閾値はプロセッサ４０によって実行されるソフトウェアにおいて一定値として構成されてよい、又はアブレーション手技を開始する前にオペレータ２２によって手動で構成されてよい。
【００４２】
図３のＴ１及びＴ２は、温度／圧力曲線が対応する閾値２１８又は２２０と交差する時間例を指す。図３の例では、曲線２００及び２１２が対応する曲線２０４及び２１６よりも速く上昇するのでＴ１＜Ｔ２。そこで、アブレーション持続時間がアブレーション＃１についてＴ１を超えるとき又はアブレーション＃２についてＴ２を超えるとき、スチームポップ発生のリスクは著しく増大する。典型的なアブレーション時間枠は２０〜９０秒の範囲に及ぶ。アブレーションが開始すると直ぐにオペレータ２２にＴ１又はＴ２を指示することによって、オペレータはスチームポップ発生のリスクを低減するために事前に適切な措置を講じることができる。発明者らの実際的な経験によれば、この開示されたモデル及び技法によってアブレーション手技の初めの２〜３秒以内にＴ１又はＴ２を予測することを可能にする。
【００４３】
前述のように、閾値２１８を超えるホットスポット温度は、高い確率でスチームポップ発生を招くおそれがある。このホットスポットは表面下数ｍｍに位置することが多い、したがって、その温度をカテーテル内の温度センサーにより直接測定することができない。その代わり、いくつかの実施形態では、プロセッサ４０は、カテーテルの有限要素熱移動モデル及び組織環境（すなわち、図１Ｂの領域３３を含む温度ドメイン）を（リアルタイムに）評価することによってホットスポット３１の温度を推定する。モデルの境界条件は、測定された温度（カテーテル内の１つ又は２つ以上のセンサー２７によって）、推定された先端部深度、及びアブレーション電流を含む。
【００４４】
プロセッサ４０は、比較的冷たい生理食塩水（温度は通常約２８℃）の温度を含み、プローブの内部先端部表面上の対流境界条件を設定することによって、潅注の影響を追加的に組み込んでよい。対流係数は、例えば、数値流体力学（ＣＦＤ）モデルを用いて予め計算されてよい。
【００４５】
スチームポップ現象が、組織内に形成された気泡内部の過剰な圧力によって生成されるので、また圧力と温度との間に１対１の関係があるので（例えば、上記のクラウジウス−クラペイロンの式）、スチームポップ現象を確実に予測するために、推定されたホットスポット温度を利用することができる。
【００４６】
したがって、いくつかの実施形態では、スチームポップ現象を圧力測定値、温度測定値、又は両方に基づいて予測することができる。本特許出願との関係において及び請求項において、フレーズ「圧力の進展を予測するモデルを推定する」はまた、組織温度を推定し、かつ推定される圧力を明示的に計算せずに、推定される温度からスチームポップを予測するモデルを指す。
【００４７】
図４は、本発明の一実施形態に従って、スチームポップ現象の時間発生を予測するための方法を模式的に例示するフローチャートである。この方法は、プローブ位置決め工程２５０においてオペレータ２２がカテーテル２４を焼灼対象組織の中へ挿入することで始まる。オペレータ２２は、組織内のアブレーション部位を選択するために任意の好適な方法を使用してよい。例えば、心臓アブレーションにおいて、オペレータ２２は、当該技術分野において既知である不整脈の部位を焼灼するよう選択してよい。プローブ位置決めに続いて、プロセッサ４０は、初期深度推定工程２５２において、プローブ先端部の組織内への初期貫入深度を推定する。プロセッサ４０はインピーダンス測定値、及びもしかしたら温度及び／又は力測定値を用いて初期貫入深度を推定する。
【００４８】
オペレータ２２は、その後、電流適用工程２５４においてＲＦ発生器３６を起動する。ＲＦ発生器３６によって生成されたＲＦ電力レベルは、発生器に適用された電流レベルによって制御される。ＲＦ発生器３６によって生成されたエネルギーは、アブレーションの部位において組織までプローブ２４を介して伝達される。典型的には、ＲＦエネルギーが組織に適用されるにつれて、プローブ２４はプロセッサ４０へ伝達される温度、インピーダンス及び力測定を行う。
【００４９】
プロセッサ４０は、ＦＥモデル生成工程２５８において、有限要素（ＦＥ）モデルを生成するために推定された先端部深度とともに、温度及びインピーダンス測定値を使用する。このＦＥモデルは、温度ドメインと称せられ、３Ｄ領域の多数のサブ領域において計算された温度及びインピーダンス値を備える。この温度ドメインは典型的には組織の領域、例えば、図１Ｂの領域３３及びホットスポット３２、カテーテル先端部及びセンサー、並びに血液及び潅注生理食塩水などの液体が存在し得る組織のごく近傍の領域を含む。プローブ先端部のセンサーがＦＥモデルのサブ領域のいくつかに存在していることに留意されたい。
【００５０】
プロセッサ４０は、モデル比較工程２６２において、ＦＥモデルの計算された温度及びインピーダンス値をプローブセンサーの実際の測定値と比較する。工程２６２において全く一致がない場合には、プロセッサ４０は、再推定工程２６６において先端部貫入深度を再推定し、かつ工程２５８へ折り返す。貫入深度の再推定（工程２６６）及びＦＥモデル（工程２５８）の調節のループは、プロセッサ４０が工程２６２において一致を見つけるまで継続し、リアルタイムモデル生成工程２７０において、時間の関数として予測されたホットスポット温度及び圧力進展のリアルタイムモデルを生成するように進める。このモデルは、工程２５２及び／又は２６６において推定されたプローブ貫入深度（すなわち、モデルの「自由なパラメータ」）、及びＲＦ発生器３６を起動させるのに使用されるアブレーション電流に少なくとも基づいている。このモデルは、典型的にはホットスポットにおける温度及び／又は圧力の予測された進展曲線を備える。あるいは、このモデルは温度／圧力及び時点の表を備えてもよい。更に、あるいは、このモデルは数式などの、任意の他の好適な形態を備えてもよい。
【００５１】
モデル及び定義済の温度／圧力閾値に基づいて、プロセッサ４０は、時間予測工程２７４においてスチームポップ現象の予想される時間発生を予測する。この予測された時間は、モデル曲線と対応する温度／圧力閾値との交差点から導出されてよい。
【００５２】
プロセッサ４０は、ディスプレイ指示工程２７８においてディスプレイ４２上に、提示される対象の予想スチームポップ現象に関する指示を送る。典型的には、この指示は視聴覚の指示を含む。例えば、プロセッサ４０は、リアルタイムモデルの曲線とともに定義済の閾値を提示することができる。代替的に又は追加的に、この指示は、工程２７４において計算される予測時間、又はスチームポップ現象までの残り時間の長さの数値提示を備え得る。更に代替的に又は追加的に、この指示は時間がスチームポップ現象の予想時間に近づくにつれてその振幅及び／又は周波数が増大する交互のビープ音などの（だがそれに限定されない）可聴警告を含んでもよい。いくつかの実施形態では、プロセッサ４０はオペレータ２２に対する追加の支援情報を提示してもよい。例えば、プロセッサ４０は、心臓マップ４４、心臓室及び壁に対するプローブ位置、プローブの組織内への貫入深度、プローブが組織に加える力の量、及び瞬間的なホットスポット温度及び／又は圧力測定値を連続的に表示してもよい。
【００５３】
オペレータ２２は、完了確認工程２８２において現在の部位についてアブレーションが完結しているか確認する。オペレータ２２は、アブレーション完結を決定する任意の好適な方法を用いてよい。例えば、オペレータ２２は組織に適用されたエネルギーの量（例えば、ＲＦ電力と持続時間との積）が定義済の閾値を超える場合に、アブレーションを停止するように決定してよい。代替的に又は追加的に、オペレータ２２はアブレーションの過程中にディスプレイ４２上に提示された任意の好適な情報を調べることによってアブレーション停止を決定してよい。更に代替的に又は追加的に、プロセッサ４０は、例えば、その開示が参照によって本明細書に組み込まれる２０１２年５月７日に出願された米国特許出願第１３／４６５，１０３号に説明される方法を用いてアブレーション停止を自動的に決定してよい。工程２８２におけるアブレーションが完結される場合には、この方法は停止工程２８６において停止する。そうでなければ、プロセッサ４０は、モデルに対してずれが生じている場合には、ＦＥモデルを再調節するために工程２５８に折り返す。ＦＥモデルのずれの原因となり得る要因としては、例えば、患者３０の心臓鼓動及び呼吸動作によって生成される組織−プローブ相対運動が挙げられる。工程２５８におけるＦＥモデルの調節の後に、工程２７０におけるリアルタイムモデルに対して、工程２７４におけるスチームポップ現象の予測された発生時間に対して、及び工程２７８において提示された警告に対して、対応する更新が続いてよいことに留意されたい。
【００５４】
アブレーション手技中に、オペレータ２２はスチームポップ発生のリスクを低減するために、工程２７８において提示された指示に対して、又はディスプレイ４２上に提示される任意の他の指示に対して、反応可能なように措置を講じてよい。例えば、オペレータ２２は、ＲＦ発生器３６に適用される電流を調節して、組織に適用されるエネルギー用量を制御してよい。別の例として、工程２７０のリアルタイムモデルが緩慢な温度／圧力進展を指示する場合には、オペレータは、ＲＦ発生器３６に適用される電流を増大させてよい。一方で、システム２０が差し迫ったスチームポップ現象を指示する場合には、オペレータ２０はＲＦ発生器３６に適用される電流を低減するか又は更には完全に遮断してもよい。
【００５５】
代替的に又は追加的に、オペレータ２２は、カテーテル２４の位置若しくは組織内への貫入深度を調節してよい、又は更にはカテーテルを組織と接触しないように一時的に取り除いてもよい。オペレータは増大した力をカテーテルに加えて、予測モデルが緩慢な上昇温度／圧力曲線を指示する場合には、それを組織内に深く挿入してよい。しかしながら、モデルがスチームポップ現象の差し迫った発生を指示する場合には、オペレータ２２は、組織からカテーテル２４を部分的に又は完全に取り除いてよい。更に代替的に又は追加的に、オペレータ２２は、モデル指示に反応可能なように潅注速度を、及び／又は温度／圧力進展速度に影響を及ぼし得る任意の他の好適な手段を、制御してよい。
【００５６】
オペレータは、スチームポップ現象のリスクを低減することに並行して、様々な措置で対応してよいことが認識されるであろう。
【００５７】
代替の実施形態では、オペレータ２２によって手で講じられる措置のうちのいくつかが、プロセッサ４０によって自動化されてよい。例えば、プロセッサ４０はＲＦ発生器３６へのアブレーション電流及び／又は潅注速度を自動的に制御してよい。別の例として、カテーテルの電気機械的操作を支援するシステム２０において、プロセッサ４０は、組織内のカテーテル２４を自動的に再位置決めしてよい。
【００５８】
上記図４に記載される構成は、純粋に概念の明瞭さのために選択される例示的構成である。代替の実施形態では、任意の他の好適な構成もまた使用され得る。
【００５９】
前述した実施形態が例として引用されること、及び本発明が上文に特に図示されかつ説明されてきたことに限定されないことが認識されるであろう。むしろ、本発明の範囲は上文に説明された様々な特徴の組み合わせ及びサブ組み合わせの両方を包含し、並びに先行技術に開示されていない、それらの変形例及び改変例は、前述の説明を読めば当業者には思い付くであろう。本特許出願に参照により組み込まれる文献は、本願の必須部分と考えられるべきである。ただし、任意の用語が、本明細書に明示的に又は黙示的になされた定義と矛盾するような方法で、これらの組み込まれた文献において定義される場合にはその限りでなく、本明細書における定義のみが考慮されるべきである。
【００６０】
〔実施の態様〕
（１）  医療手技を行うための方法であって、
プローブを患者の臓器の中の組織に結合することと、
前記プローブを用いてアブレーションエネルギーを前記組織に適用することと、
時間の関数として、前記アブレーションエネルギーによりもたらされた前記組織内の蒸気圧の進展（evolution）のモデルを推定することと、
前記蒸気圧によりもたらされたスチームポップ現象の発生時間を、前記モデルに基づいて、予測することと、
前記スチームポップ現象の前記予測された発生時間をオペレータに対して指示することと、を含む、方法。
（２）  前記モデルを推定することが、時間の関数として、前記アブレーションエネルギーによりもたらされた前記組織内の温度の進展を推定することを含む、実施態様１に記載の方法。
（３）  前記モデルを推定することが、前記プローブの前記組織内への貫入深度を推定することと、前記貫入深度及び前記アブレーションエネルギーに基づいて前記モデルを計算することと、を含む、実施態様１に記載の方法。
（４）  前記貫入深度を推定することが、前記組織の温度及びインピーダンスの多数の値を測定することと、前記測定された値に基づいて前記貫入深度を推定することと、を含む、実施態様３に記載の方法。
（５）  前記モデルを推定することが、時間の関数として、前記組織圧力の関数曲線を推定することを含み、前記スチームポップ現象の前記発生時間を予測することが、前記関数曲線と定義済の閾値との間の交差時間を特定することと、前記交差時間から前記発生時間を導出することと、を含む、実施態様１に記載の方法。
【００６１】
（６）  前記予測された発生時間を指示することが、前記スチームポップ現象までの残り時間の長さを前記オペレータに指示することを含む、実施態様１に記載の方法。
（７）  前記スチームポップ現象の前記予測された発生時間に反応して、前記アブレーションエネルギーの適用を修正することを含む、実施態様１に記載の方法。
（８）  前記モデルを推定することが、前記プローブの近傍で前記組織の最も熱い領域を特定することと、前記最も熱い領域における前記蒸気圧の前記進展を評価することと、を含む、実施態様１に記載の方法。
（９）  前記モデルを推定することが、前記プローブの近傍の有限要素熱移動モデルをリアルタイムに評価することを含む、実施態様１に記載の方法。
（１０）  医療手技を行うための装置であって、
患者の臓器内の組織に結合されるように、かつ前記組織にアブレーションエネルギーを適用するように構成される、侵襲性のプローブと、
前記プローブに結合され、時間の関数として、前記アブレーションエネルギーによりもたらされた前記組織内の蒸気圧の進展のモデルを推定するように、前記蒸気圧によりもたらされたスチームポップ現象の発生時間を、前記モデルに基づいて、予測するように、かつオペレータに対して前記スチームポップ現象の前記予測された発生時間を指示するように構成されるプロセッサと、を含む、装置。
【００６２】
（１１）  前記プロセッサが、時間の関数として、前記アブレーションエネルギーによりもたらされた前記組織内の温度の進展を推定することによって、前記モデルを推定するように構成される、実施態様１０に記載の装置。
（１２）  前記プロセッサが、前記プローブの前記組織内への貫入深度を推定することによって前記モデルを推定し、前記貫入深度及び前記アブレーションエネルギーに基づいて前記モデルを計算するように構成される、実施態様１０に記載の装置。
（１３）  前記プロセッサが、前記組織の温度及びインピーダンスの多数の値を測定すること、及び前記測定された値に基づいて前記貫入深度を推定することによって、前記貫入深度を推定するように構成される、実施態様１２に記載の装置。
（１４）  前記プロセッサが、時間の関数として、前記組織圧力の関数曲線を推定することによって前記モデルを推定するように、かつ前記関数曲線と定義済の閾値との間の交差時間を特定し、前記交差時間から前記発生時間を導出することによって前記スチームポップ現象の前記発生時間を予測するように、構成される、実施態様１０に記載の装置。
（１５）  前記プロセッサが、前記スチームポップ現象までの残り時間の長さを前記オペレータに指示することによって前記予測された発生時間を指示するように構成される、実施態様１０に記載の装置。
【００６３】
（１６）  前記プロセッサが、前記スチームポップ現象の前記予測された発生時間に反応して前記アブレーションエネルギーの適用を修正するように構成される、実施態様１０に記載の装置。
（１７）  前記プロセッサが、前記スチームポップ現象の前記予測された発生時間に反応して前記アブレーションエネルギーの適用を修正するように前記オペレータによって構成される、実施態様１０に記載の装置。
（１８）  前記プロセッサが、前記プローブの近傍で前記組織の最も熱い領域を特定することによって前記モデルを推定するように、かつ前記最も熱い領域の前記蒸気圧の前記進展を評価するように、構成される、実施態様１０に記載の装置。
（１９）  前記プロセッサが、前記プローブの近傍の有限要素熱移動モデルをリアルタイムに評価することによって前記モデルを推定するように構成される、実施態様１０に記載の装置。
（２０）  コンピュータソフトウェアプロダクトであって、内部にプログラム命令が記憶されている非一時的なコンピュータ読み取り可能な媒体を含み、その命令が、侵襲性のプローブが結合されている臓器内の組織にアブレーションエネルギーを適用するための前記プローブに結合されているプロセッサにより読み取られるとき、前記プロセッサに、時間の関数として、前記アブレーションエネルギーよりもたらされる前記組織内の蒸気圧の進展のモデルを推定させ、前記蒸気圧によりもたらされたスチームポップ現象の発生時間を、前記モデルに基づいて、予測させ、かつオペレータに対して前記スチームポップ現象の前記予測された発生時間を指示させる、コンピュータソフトウェアプロダクト。
【図１Ａ】
2015009157.tif 000003
【図１Ｂ】
2015009157.tif 000004
【図２】
2015009157.tif 000005
【図３】
2015009157.tif 000006
【図４】
2015009157.tif 000007
【外国語明細書】
2015009157000001.pdf